(57)【要約】【課題】低コストでかつ室外ユニットの運搬性能を向上させることができる冷凍装置の室外ユニットを提供する。【解決手段】室外機１は、室外熱交換器４１と、ケーシング２とを備える。ケーシング２は、室外熱交換器４１の近傍に配置され、側板部２３を含む。側板部２３は、略水平方向に延びる複数の横桟２５と、複数の横桟２５により仕切られることで形成された複数の開口２９とを有する。複数の横桟２５のうち第１横桟２６は、下面２６ａが湾曲した凹凸状に形成、及び／または剛性が第２横桟２７の剛性に比して高くなっている。ここで、第２横桟２７は、複数の横桟２５のうち第１横桟２６を除く残りの横桟を言う。【選択図】図４
2010175196.tif 000002
【特許請求の範囲】
【請求項１】
熱交換器（４１）と、
前記熱交換器（４１）の近傍に配置され、略水平方向に延びる複数の横桟（２５）と複数の前記横桟（２５）により仕切られることで形成された複数の開口（２９）とを有する側板部（２３）を含むケーシング（２）と、
を備え、
複数の前記横桟（２５）のうち第１横桟（２６）は、下面（２６ａ）が湾曲した凹凸状に形成されている、及び／または剛性が複数の前記横桟（２５）のうち前記第１横桟（２６）を除く残りの第２横桟（２７）の剛性に比して高くなっている、
冷凍装置の室外ユニット（１）。
【請求項２】
複数の前記横桟（２６）と前記側板部（２３）の枠部（２４）とが板金によって一体成形されており、
前記第１横桟（２６）は、その縦断面がコの字形状またはＬ字形状を有している、
請求項１に記載の冷凍装置の室外ユニット（１）。
【請求項３】
前記第１横桟（２６）における前記下面（２６ａ）は、前記熱交換器（４１）側に突出している、
請求項２に記載の冷凍装置の室外ユニット（１）。
【請求項４】
前記第１横桟（２６）の前記下面（２６ａ）に対し略垂直な前記第１横桟（２６）の側面（２６ｂ）が、前記第２横桟（２７）の下面（２７ａ）に対し略垂直な前記第２横桟（２７）の側面（２７ｂ）に比して高さが大きいことにより、前記第１横桟（２６）は前記第２横桟（２７）よりも高い剛性を有している、
請求項１〜３のいずれかに記載の冷凍装置の室外ユニット（１）。
【請求項５】
前記第１横桟（２６）の前記下面（２６ａ）は、下方向に突出した少なくとも３つの凸部（２６ｄ）を含む凹凸状に形成されている、
請求項１〜４のいずれかに記載の冷凍装置の室外ユニット（１）。
【請求項６】
前記ケーシング（２）の前記側板部（２３）は、略垂直方向に延びており複数の前記横桟（２５）それぞれと交差する縦桟（２８）を少なくとも１本更に有しており、
前記第１横桟（２６）は、各前記縦桟（２８）を挟んで前記縦桟（２８）の左右に位置しており、
前記凸部（２６ｄ）は、前記縦桟（２８）に対し左右対称となるように、前記第１横桟（２６）の下面（２６ａ）に形成されている、
請求項５に記載の冷凍装置の室外ユニット（１）。
【発明の詳細な説明】
【技術分野】
【０００１】
本発明は、冷凍装置の室外ユニットに関する。
【背景技術】
【０００２】
ビルや一般の住宅等の建物において利用される冷凍装置の１つとして、室内ユニット及び室外ユニットを備えるセパレート型の空気調和装置が広く普及している。このような室外ユニットは、通常、作業者によって持ち上げられて運搬されるが、室外ユニットのケーシング内には、送風ファンや圧縮機、アキュムレータ、電装品ユニット等の様々な機器が収納されており、その重量は比較的大きいものとなっている。このような室外ユニットの運搬の際、作業者は、室外ユニットのケーシングの任意の箇所を手で持つことになるが、室外ユニットの重量に耐えきれず室外ユニットを落としてしまう恐れがある。
【０００３】
これに対し、特許文献１（特開２００５−９８６１４号公報）においては、運搬用の取手が付けられた室外ユニットが開示されている。
【発明の概要】
【発明が解決しようとする課題】
【０００４】
しかしながら、上記特許文献１では、運搬用の取手はケーシングとは別部材として取り付けられているため、その分コストがかかってしまう。また、特許文献１では、室外ユニットの重量によっては、室外ユニットの運搬時に取手がケーシングから脱落してしまう恐れもある。
【０００５】
そこで、本発明は、低コストでかつ室外ユニットの運搬性能を向上させることができる冷凍装置の室外ユニットを提供することを目的とする。
【課題を解決するための手段】
【０００６】
発明１に係る冷凍装置の室外ユニットは、熱交換器と、ケーシングとを備える。ケーシングは、熱交換器の近傍に配置され、側板部を含む。側板部は、略水平方向に延びる複数の横桟と、複数の横桟により仕切られることで形成された複数の開口とを有する。複数の横桟のうち第１横桟は、下面が湾曲した凹凸状に形成されている、及び／または剛性が第２横桟の剛性に比して高くなっている。第２横桟は、複数の横桟のうち、第１横桟を除く残りの横桟を言う。
【０００７】
この冷凍装置の室外ユニットによると、ケーシングの側板部には、第１横桟の下面が湾曲した凹凸状に形成され、及び／または第１横桟の剛性が他の横桟よりも高くなっている。これにより、作業者が第１横桟を持って室外ユニットを運搬する際、凹凸状の下面によって室外ユニットが持ち易くなっており、また第１横桟の剛性が高いことによって第１横桟の強度が向上しているため、室外ユニットの運搬時の安全性が高まる。また、室外ユニットは、別部材である取手等を必要としないことから、低コストで室外ユニットの運搬性能を向上させることができる。
【０００８】
発明２に係る冷凍装置の室外ユニットは、発明１に係る冷凍装置の室外ユニットであって、複数の横桟と側板部の枠部とが、板金によって一体成形されている。そして、第１横桟は、その縦断面がコの字形状またはＬ字形状を有している。
【０００９】
この室外ユニットによると、ケーシングの枠部と複数の横桟とが板金によって一体成形されているため、ケーシングと横桟との接合部分がない状態となっている。従って、第１横桟に指をかけることによって室外ユニットが持ち上げられた際に、ケーシングと横桟とが分離してしまうのを防ぐことができる。また、第１横桟は、その縦断面がコの字形状またはＬ字形状となっているため、室外ユニットの運搬の際、作業者は、手を第１横桟の下面にそえることができる。
【００１０】
発明３に係る冷凍装置の室外ユニットは、発明２に係る冷凍装置の室外ユニットであって、第１横桟における下面は、熱交換器側に突出している。
【００１１】
この室外ユニットによると、第１横桟における下面が熱交換器側に突出していることから、作業者は、ケーシングの外側から第１横桟に手をそえる際、第１横桟の下面の突出した先端部分に手の指をかけることができる。従って、作業者は、室外ユニットをより持ち上げやすくなる。
【００１２】
発明４に係る冷凍装置の室外ユニットは、発明１〜３のいずれかに係る冷凍装置の室外ユニットであって、第１横桟の下面に対し略垂直な第１横桟の側面が、第２横桟の下面に対し略垂直な第２横桟の側面に比して高さが大きいことにより、第１横桟は第２横桟よりも高い剛性を有している。
【００１３】
この室外ユニットによると、第１横桟の側面の高さが、第２横桟の側面の高さよりも高いため、第１横桟の剛性は、第２横桟に比して高くなることができる。これにより、第１横桟における強度が向上し、室外ユニットの運搬時の安全性が高まる。
【００１４】
発明５に係る冷凍装置の室外ユニットは、発明１〜４のいずれかに係る冷凍装置の室外ユニットであって、第１横桟の下面は、下方向に突出した少なくとも３つの凸部を含む凹凸状に形成されている。
【００１５】
この室外ユニットによると、作業者が第１横桟を持って室外ユニットを持ち上げる際、第１横桟における各凸部の間には作業者の手の指それぞれがはまるため、作業者は、室外ユニットを持ち上げやすくなる。
【００１６】
発明６に係る冷凍装置の室外ユニットは、発明５に係る冷凍装置の室外ユニットであって、ケーシングの側板部は、略垂直方向に延びており複数の横桟それぞれと交差する縦桟を少なくとも１本更に有している。第１横桟は、各縦桟を挟んで縦桟の左右に位置している。凸部は、縦桟に対し左右対称となるように、第１横桟の下面に形成されている。
【００１７】
この室外ユニットによると、第１横桟の凸部は、縦桟に対し左右対称となるように形成されている。そのため、作業者は、作業者自身の姿勢や室外ユニットの設置状況等に応じて、縦桟の左に位置する第１横桟または右に位置する第１横桟のいずれかによって室外ユニットを持ち上げることができる。
【発明の効果】
【００１８】
発明１に係る冷凍装置の室外ユニットによると、作業者が第１横桟を持って室外ユニットを運搬する際、凹凸状の下面によって室外ユニットが持ち易くなっており、また第１横桟の剛性が高いことによって第１横桟の強度が向上しているため、室外ユニットの運搬時の安全性が高まる。また、室外ユニットは、別部材である取手等を必要としないことから、低コストで室外ユニットの運搬性能を向上させることができる。
【００１９】
発明２に係る冷凍装置の室外ユニットによると、第１横桟に指をかけることによって室外ユニットが持ち上げられた際に、ケーシングと横桟とが分離してしまうのを防ぐことができる。また、室外ユニットの運搬の際、作業者は、手を第１横桟の下面にそえることができる。
【００２０】
発明３に係る冷凍装置の室外ユニットによると、作業者は、室外ユニットをより持ち上げやすくなる。
【００２１】
発明４に係る冷凍装置の室外ユニットによると、第１横桟における強度が向上し、室外ユニットの運搬時の安全性が高まる。
【００２２】
発明５に係る冷凍装置の室外ユニットによると、作業者が第１横桟を持って室外ユニットを持ち上げる際、第１横桟における各凸部の間には作業者の手の指それぞれがはまるため、作業者は、室外ユニットを持ち上げやすくなる。
【００２３】
発明６に係る冷凍装置の室外ユニットによると、作業者は、作業者自身の姿勢や室外ユニットの設置状況等に応じて、縦桟の左に位置する第１横桟または右に位置する第１横桟のいずれかによって室外ユニットを持ち上げることができる。
【図面の簡単な説明】
【００２４】
【図１】本実施形態に係る冷凍装置の室外ユニットが採用された室外機の外観図。
【図２】本実施形態に係る室外機の内部構成を示す図。
【図３】ケーシングの天板部が取り除かれた状態の、室外機の上面図。
【図４】本実施形態に係る室外機を左側面から見た場合の、側板部の外観図。
【図５】図４に係る側板部のうち、第１横桟を含む部分の拡大図。
【図６】図５に係る第１横桟及び第２横桟のＶＩ−ＶＩ線による断面を、図５の左側（つまり、室外機の背面方向）から見た場合の図。
【図７】図５に係る第１横桟の部分の拡大図。
【図８】その他の実施形態（ａ）に係る第１横桟及び第２横桟の縦断面を、室外機の背面方向から見た場合の図。
【発明を実施するための形態】
【００２５】
以下、本発明に係る冷凍装置の室外ユニットについて、図面を用いて詳細に説明する。
【００２６】
（１）構成
図１は、本実施形態に係る冷凍装置の室外ユニットが採用された室外機１の外観図である。図１の室外機１は、室内の壁面等に取り付けられている室内機（図示せず）と冷媒配管（図示せず）を介して連結されており、空気調和装置（冷凍装置に相当）を構成している。空気調和装置は、室内の冷房運転や暖房運転等を行うことができる。
【００２７】
本実施形態に係る室外機１は、図１〜図２に示すように、主として、ケーシング２、室外熱交換器４１、圧縮機４２、電装品ユニット４４、及び送風ファン４５ａ，４５ｂを備える。
【００２８】
尚、以下の説明においては、「上」、「下」、「右」、「左」、「水平」、「鉛直」等の方向を示す表現を適宜用いているが、これらは室外機１が図１に示すように室外に取り付けられ、通常使用される状態での各方向を表す。
【００２９】
〔ケーシング〕
ケーシング２は、図１に示すように、略直方体の形状を有しており、板金及び樹脂によって形成されている。ケーシング２は、図２に示すように、底板部２０、左前側板部２１、右前板部３０、右側板部３１、背面グリル３２、及び天板部３３を含む。
【００３０】
底板部２０は、ケーシング２の下面部分を構成する略直方形状の金属製の板状部材である。底板部２０の周縁部は、上向きに折り曲げられている。
【００３１】
左前側板部２１は、主にケーシング２の左側部分を構成する金属製の板状部材である。左前側板部２１は、上面視において略Ｌ字形状に形成されており、室外機１の正面の左側部分である前板部２２と、室外機１の左側面である側板部２３とを有している。前板部２２及び側板部２３は、共に底板部２０から天板部３３まで延びている。前板部２２には、円の形状を有する吹き出し口（図示せず）が上下方向に並んで２つ形成され、各吹き出し口を覆うようにしてファングリル２２ａ，２２ｂがそれぞれ取り付けられている。尚、吹き出し口は、送風ファン４５ａ，４５ｂによってケーシング２の背面側及び左側面側から内部に取り込まれた空気を外部に排出するための開口である。また、本実施形態に係る側板部２３は、室外機１の運搬時に室外機１の持ち手として機能するような構成を有しているが、側板部２３の詳細については、「（２）左前側板部の側板部の構成」にて詳述する。
【００３２】
右前板部３０は、主にケーシング２の正面右側を構成する金属製の板状部材である。右前板部３０は、上面視において略Ｌ字形状に形成されており、室外機１の右側面の一部分から正面の右側部分にかけて配置され、底板部２０から天板部３３まで延びている。つまり、左前側板部２１の前板部２２と、右前板部３０のうち正面となる部分（即ち、右側部分）とで、ケーシング２の正面が構成される。また、右前板部３０の下部、具体的には底板部２０付近である箇所には、室外機１と室内機とを繋ぐ冷媒配管が通るための配管用開口３０ａが形成されている。
【００３３】
右側板部３１は、主に、ケーシング２の右側面のうち、右前板部３０により構成される部分を除く残りの部分と、背面の一部とを構成する金属性の板状部材である。右側板部３１は、底板部２０から天板部３３まで延びており、上面視において略Ｌ字形状に形成されている。
【００３４】
背面グリル３２は、主にケーシング２の背面を構成している。具体的に、背面グリル３２は、右側板部３１で構成される背面となる部分を除く残りの部分（具体的には、ケーシング２の背面の左寄りの部分）を構成しており、底板部２０から天板部３３まで延びている。背面グリル３２は、格子状に組まれた金属製のワイヤにポリプロピレン樹脂製の枠を取り付けた構造となっている。
【００３５】
天板部３３は、ケーシング２の上面を構成する略直方形状の金属製の板状部材である。天板部３３の周縁部分は、左前側板部２１、右前板部３０、右側板部３１及び背面グリル３２の各上端部と係合可能な形状を有している。
【００３６】
また、ケーシング２の内部は、略鉛直に延びる仕切板３４によって機械室Ｓｑ１と送風室Ｓｑ２とに分割されている（図３）。機械室Ｓｑ１には、圧縮機４２や電装品ユニット４４が設置され、送風室Ｓｑ２には、室外熱交換器４１や送風ファン４５ａ，４５ｂが設置されている。
【００３７】
〔室外熱交換器〕
室外熱交換器４１は、ケーシング２の背面側及び左側面側からケーシング２内に吸い込まれてきた空気に対し熱交換を行うためのものである。室外熱交換器４１は、略Ｌ字状の形状を有しており、特に図３に示すように、ケーシング２の左側面から背面に沿うようにしてケーシング２の近傍に配置されている。このような室外熱交換器４１は、長手方向両端で複数回折り返されてなる伝熱管（図示せず）と、伝熱管が挿通される複数のフィンを含むフィン部分（図示せず）とを有する。伝熱管は、配管（図示せず）と接続されており、伝熱管の内部には、該配管内を流れる冷媒が流れている。
【００３８】
〔圧縮機〕
圧縮機４２は、冷媒を圧縮するためのものであって、圧縮機用モータ（図示せず）によって駆動される。圧縮機４２は、図３に示すように、機械室Ｓｑ１内であって、かつ電装品ユニット４４の下方に配置されている。また、圧縮機４２の横方には、アキュムレータ４３が位置している。
【００３９】
〔電装品ユニット〕
電装品ユニット４４は、機械室Ｓｑ１内の、圧縮機４２の上方に配置されており、コンデンサやトランジスタ等の複数の電装品が実装された制御基板やリアクタ等を収納している。電装品ユニット４４内の制御基板からは、複数本のハーネスが延びている。これらのハーネスは、圧縮機用モータや、送風ファン４５ａ，４５ｂの駆動源として機能するファンモータ（図示せず）に駆動制御信号等を伝送するためのものであって、電装品ユニット４４から圧縮機用モータ及びファンモータ等にまで延びている。
【００４０】
〔送風ファン〕
送風ファン４５ａ，４５ｂは、送風室Ｓｑ２内の空気を室外機１の外部に送るためのものである。送風ファン４５ａ，４５ｂは、図２に示されるように、上下方向に並ぶにようにして２基設けられている。各送風ファン４５ａ，４５ｂは、３枚の翼を有するプロペラファンであって、ケーシング２の左前側板部２１に上下方向に並んで形成された各吹き出し口に対応するようにして配置されている。各送風ファン４５ａ，４５ｂの回転軸には、ファンモータの出力軸がそれぞれ連結されている。そのため、各ファンモータが回転すると、各送風ファン４５ａ，４５ｂは、各ファンモータの回転が回転軸に伝達されることにより回転することができる。
【００４１】
（２）左前側板部の側板部の構成
次に、本実施形態に係る左前側板部２１の側板部２３の構成について、図４〜図７を用いて具体的に説明する。
【００４２】
図４に示すように、側板部２３は、枠部２４、複数の横桟２５、１本の縦桟２８、及び複数の開口２９を有する。枠部２４は、側板部２３の周縁部分を形作っている。複数の横桟２５は、当該枠部２４内において互いに所定の間隔離隔して位置しており、略水平方向に延びている。各横桟２５は、図６に示すように、その縦断面がコの字形状（チャンネル断面）を有している。より具体的には、各横桟２５は、下面２５ａ及び上面２５ｃと、下面２５ａ及び上面２５ｃに対し略垂直な側面２５ｂとで構成されている。上面２５ｃ及び下面２５ａは、それぞれ側面２５ｂの上端及び下端から室外熱交換器４１側に突出している。ここで、本実施形態に係る下面２５ａ及び上面２５ｃは、側面２５ｂから室外熱交換器４１側に向けて約５〜６ｍｍ程突出している。１本の縦桟２８は、枠部２４内において略垂直方向に延びており、各横桟２５と交差している。複数の開口２９は、複数の横桟２５及び１本の縦桟２８により仕切られることで形成されており、当該開口２９からは、室外の空気がケーシング２内部に吸い込まれるようになっている。このようにして各開口２９からケーシング２内部に吸い込まれてきた空気は、既に述べているように、側板部２３の近傍に位置している室外熱交換器４１との熱交換に用いられる。
【００４３】
特に、本実施形態に係る複数の横桟２５のうち、特定の横桟である第１横桟２６は、図４及び図５に示すように、下面２６ａが湾曲した凹凸状に形成されている。具体的には、第１横桟２６は、一本の縦桟２８を挟んで縦桟２８の左右に位置しているが、縦桟２８の左側に位置する第１横桟２６及び右側に位置する第１横桟２６のいずれにおいても、下面２６ａは、下方向に突出した３つの凸部２６ｄを含む凹凸状に形成されている。各凸部２６ｄは、縦桟２８に対し左右対称となるように、第１横桟２６の下面２６ａに形成されており、互いに離れて位置している。このように、３つの凸部２６ｄが互いに離れて第１横桟２６の下面２６ａに形成されていることで、室外機１の運搬の際、室外機１の作業者の手の指は、各凸部２６ｄの間（図７に係る第２部分２６ａｂ、第３部分２６ａｃ）、凸部２６ｄと枠部２４との間（図７に係る第４部分２６ａｄ）、凸部２６ｄと縦桟２８との間（図７に係る第１部分２６ａａ）それぞれにフィットするようになる。例えば、作業者が室外機１を両手で持ち上げる際、作業者は、ケーシング２の外側から第１横桟２６に手を沿えるが、手の甲を下側、つまり手の平が上側となるようにして、縦桟２８の左側に位置する第１横桟２６には左手を沿え、縦桟２８の右側に位置する第１横桟２６には右手を沿える。すると、縦桟２８に一番近い凸部２６ｄと縦桟２８との間（図７に係る第１部分２６ａａ）には、各手の小指がフィットし、各凸部２６ｄ間（図７に係る第２部分２６ａｂ、第３部分２６ａｃ）には、各手の薬指、中指それぞれがフィットする。枠部２４に一番近い凸部２６ｄと枠部２４との間（図７に係る第４部分２６ａｄ）には、各手の人差し指がフィットする。これにより、作業者は、各指で室外機１を支えることができ、室外機１を持ち上げ易くなる。
【００４４】
尚、本実施形態に係る凸部２６ｄは、下面２６ａのうち略水平な部分から下方向への高さが約２ｍｍとなっており、縦桟２８の左側及び右側に位置する第１横桟２６の水平方向への長さは、いずれも９９ｍｍとなっている。作業者の各指を各第１〜第４部分２６ａａ〜２６ａｄそれぞれにフィットさせるべく、縦桟２８に一番近い凸部２６ｄの幅は１３ｍｍで、他の凸部２６ｄの幅は１６ｍｍとなっており、第１部分２６ａａ〜第４部分２６ａｄの各幅は、順に１０ｍｍ、１４ｍｍ、１４ｍｍ、１６ｍｍとなっている。つまり、縦桟２８に一番近い凸部２６ｄは、他の凸部２６ｄよりも幅が若干小さくなっており、作業者の小指がフィットする第１部分２６ａａは、他の部分２６ａｂ〜２６ａｄよりも幅が小さくなっている。
【００４５】
また、第１横桟２６の下面２６ａ及び上面２６ｃは、第１横桟２６を除く他の横桟２５（以下、第２横桟２７という）の下面２７ａ及び上面２７ｃと同様、室外熱交換器４１側に例えば５ｍｍ〜６ｍｍ程突出している。特に、第１横桟２６の下面２６ａが室外熱交換器４１側に突出していることにより、作業者は、ケーシング２の外側から第１横桟２６に手を沿える際、第１横桟２６の下面２６ａの突出した先端部分（つまり、下面２６ａにおける室外熱交換器４１側の端部）に手の指の腹をかけることができるため、室外機１をより持ち上げ易くなる。
【００４６】
上記に加え、本実施形態に係る第１横桟２６は、第２横桟２７に比して高い剛性を有している。具体的には、図５及び図６に示すように、第１横桟２６の側面２６ｂの高さＷａが第２横桟２７の側面２７ｂの高さＷｂに比して大きいことにより、第１横桟２６は第２横桟２７よりも高い剛性を有している。例えば、第２横桟２７の高さＷｂを１０．５ｍｍとした場合、第１横桟２６の高さＷａは１６．３ｍｍとなることができる。このように、第１横桟２６における断面係数を上げるべく、第１横桟２６の高さＷａを第２横桟２７の高さＷｂよりも大きくすることで、第１横桟２６の強度が増し、室外機１の運搬時の安全性が高まる。
【００４７】
ここで、上述した第１横桟２６が、側板部２３のうちどの部分に位置しているかについて説明する。本実施形態に係る第１横桟２６は、室外機１を運搬する作業者が室外機１を持ち上げる際に作業者の手の指がかかる高さ位置に位置している。一般的に、作業者は、屈んで室外機１の左前側板部２１における側板部２３の任意の部分を持つことで、室外機１を持ち上げるため、本実施形態に係る第１横桟２６は、左前側板部２１における側板部２３のうち、作業者が屈んだ際に作業者の手があたる部分に設けられている。本実施形態では、図４に示すように、上下に並ぶファングリル２２ａ，２２ｂのうち、下側に位置するファングリル２２ｂの上端よりも若干下となる部分に、第１横桟２６が位置している。このような第１横桟２６の高さ位置は、人の平均身長に基づいて決定される。例えば、男性の平均身長が約１７２ｃｍであって、約１７２ｃｍの男性が屈んで室外機１を持ち上げようとした際に手がかかる位置が約６０〜１００ｃｍであるとすると、第１横桟２６は、一例として側板部２３のうち高さ７０ｃｍの位置に設けられる。
【００４８】
〔左前側板部の製造方法〕
次に、上述した左前側板部２１を製造する方法について簡単に説明する。本実施形態では、側板部２３に係る複数の横桟２５、枠部２４及び縦桟２８は、板金によって一体形成される。
【００４９】
具体的には、先ずは左前側板部２１の外形（つまり、左前側板部２１を折り目等一切付けずに平らにした形状）が、約０．７ｍｍの板厚を有する板金をくり抜くことで形成される。この時、側板部２３となる部分には、複数の開口２９がくり抜かれることで複数の横桟２５、枠部２４及び縦桟２８が形成されるが、開口２９のくり抜きの際に第１横桟２６の位置が決定され、第１横桟２６の高さＷａが第２横桟２７の高さＷｂよりも高くなるようにして、開口２９がくり抜かれる。その後、側板部２３及び前板部２２の境界部分を折り曲げることで、Ｌ字型形状の左前側板部２１が形成される。次いで、側板部２３における各開口２９の上端部及び下端部が、室外熱交換器４１側へと突出するようにして約５〜６ｍｍ程折り曲げてられていくことで、縦断面がコの字形状の横桟が形成されるようになる。その後、第１横桟２６の下面２６ａを、３つの凸部２６ｄを含む凹凸状に形成することで、第１部分２６ａａ〜第４部分２６ａｄが形成される。
【００５０】
上述した製造方法によって生成された左前側板部２１は、室外機１の組み立て工程に用いられる。
【００５１】
（３）効果
（Ａ）
本実施形態に係る室外機１によると、ケーシング２の左前側板部２１における側板部２３には、第１横桟２６の下面２６ａが湾曲した凹凸状に形成されており、更に第１横桟２６の剛性が他の横桟である第２横桟２７よりも高くなっている。これにより、作業者が第１横桟２６を持って室外機１を運搬する際、凹凸状の下面２６ａによって室外機１が持ち易くなっており、また第１横桟２６の剛性が高いことによって第１横桟２６の強度が向上しているため、室外機１の運搬時の安全性が高まる。また、室外機１は、別部材である取手等を必要としないことから、低コストで室外機１の運搬性能を向上させることができる。
【００５２】
尚、側板部２３における複数の開口２９は、従来の室外機の側板部にも形成されている構造であるため、本実施形態に係る第１横桟２６を有する室外機１は、既存の室外機にある開口を利用して容易に実現できるものとなっている。従って、コストをかけることなく、室外機１の運搬性能を向上させることができると言える。
【００５３】
（Ｂ）
また、本実施形態に係る室外機１によると、ケーシング２の枠部２４と複数の横桟２５とが板金によって一体成形されているため、ケーシング２と横桟２５との接合部分がない状態となっている。従って、第１横桟２６に指をかけることによって室外機１が持ち上げられた際に、ケーシング２と横桟２５とが分離してしまうのを防ぐことができる。また、第１横桟２６は縦断面がコの字形状となっているため、室外機１の運搬の際、作業者は、手を第１横桟２６の下面２６ａにそえることができる。
【００５４】
（Ｃ）
特に、第１横桟２６における下面２６ａが室外熱交換器４１側に突出していることから、作業者は、ケーシング２の外側から第１横桟２６に手をそえる際、第１横桟２６の下面２６ａの突出した先端部分に手の指をかけることができる。従って、作業者は、室外機１をより持ち上げやすくなる。
【００５５】
（Ｄ）
また、本実施形態に係る室外機１によると、第１横桟２６の側面２６ｂの高さＷａが、第２横桟２７の側面２７ｂの高さＷｂよりも大きいため、第１横桟２６の剛性は、第２横桟２７に比して高くなることができる。これにより、第１横桟２６における強度が向上し、室外機１の運搬時の安全性が高まる。
【００５６】
（Ｅ）
また、本実施形態に係る室外機１の第１横桟２６の下面２６ａは、下方向に突出した３つの凸部２６ｄを含む凹凸状に形成されている。従って、作業者が第１横桟２６を持って室外機１を持ち上げる際、第１横桟２６における各凸部の間（つまり、第１部分２６ａａ〜第４部分２６ａｄ）には作業者の手の指がはまるため、作業者は、室外機１を持ち上げやすくなる。
【００５７】
（Ｆ）
特に、本実施形態に係る室外機１では、第１横桟２６の凸部２６ｄが、縦桟２８に対し左右対称となるように形成されている。そのため、作業者は、作業者自身の姿勢や室外機１の設置状況等に応じて、縦桟２８の左に位置する第１横桟２６または右に位置する第１横桟２６のいずれかによって室外機１を持ち上げることができる。
【００５８】
＜その他の実施形態＞
（ａ）
上記実施形態では、図６に示すように、横桟２５の縦断面がコの字の形状を有している場合について説明した。しかし、横桟２５の縦断面形状は、コの字ではなく、図８に示すようにＬ字形状であってもよい。このように、横桟２５の縦断面形状がＬ字形状、特に第１横桟２６の下面２６ａが略水平方向に突出しているような形状であれば、室外機１を運搬する作業者は、手のひらを下方から下面２６ａに沿えることができるため、室外機１を持ち上げやすくなる。
【００５９】
尚、この場合においても、上記実施形態と同様、各横桟２５の下面２５ａ（第１横桟２６の下面２６ａ及び第２横桟２７の下面２７ａを含む）は、室外熱交換器４１側に略水平に突出しており、第１横桟２６の側面２６ｂの高さＷａは、第２横桟２７の側面２７ｂの高さＷｂに比して大きい。また、第１横桟２６の下面２６ａは、湾曲した凹凸状に形成されている。
【００６０】
（ｂ）
上記実施形態では、送風ファン４５ａ，４５ｂが上下方向に二基配置されている室外機１に、本発明に係る室外ユニットが採用された場合について説明した。しかし、本発明に係る室外ユニットは、ファンが２基のタイプのみではなく、ファンが１基のみのタイプの室外機にも適用することができる。
【００６１】
（ｃ）
上記実施形態では、縦桟２８に対し左右に位置する第１横桟２６の下面２６ａそれぞれは、３つの凸部２６ｄを含む凹凸状に形成されていると説明した。しかし、第１横桟２６の下面２６ａに形成されている凸部２６ｄの数は、３つに限定されず、例えば４つ等であってもよい。
【００６２】
（ｄ）
上記実施形態では、図４及び図５に示すように、ファングリル２２ｂの上端よりも若干下となる部分に、第１横桟２６が１本のみ位置する場合について説明した。しかし、第１横桟２６は、１本のみに限定されず、複数本の第１横桟２６が側板部２３に形成されていてもよい。これにより、室外機１の運搬を行う作業者がどのような身長であっても、作業者は、複数本ある第１横桟２６のうちいずれかを選択して手を沿えることができるようになる。
【００６３】
（ｅ）
上記実施形態では、第１横桟２６の下面２６ａが湾曲した凹凸状に形成されており、かつ第１横桟２６の剛性が第２横桟２７の剛性よりも高くなっている場合について説明した。しかし、本発明に係る室外ユニットでは、第１横桟２６の下面２６ａが湾曲した凹凸状に形成されているか、または第１横桟２６の剛性が第２横桟２７の剛性よりも高くなっているかの、いずれかが満たされていてもよい。
【００６４】
（ｆ）
上記実施形態では、第１横桟２６の剛性を第２横桟２７の剛性よりも高くするために、第１横桟２６の側面２６ｂの高さＷａが第２横桟２７の側面２７ｂの高さＷｂよりも高い方法が採られている場合について説明した。しかし、第１横桟２６の剛性を第２横桟２７の剛性よりも高くするための方法は、これに限定されず、例えば第１横桟２６を第２横桟２７よりも肉厚にする方法が採用されていてもよい。
【００６５】
（ｇ）
上記実施形態では、図４に示すように、側板部２３が１本の縦桟２８を有する場合について説明した。しかし、側板部２３が有する縦桟の数は、１本に限定されず、２本以上であってもよい。側板部２３が複数の縦桟を有する場合においても、上記実施形態と同様、各縦桟の左右には、各縦桟を挟むようにして開口が位置している。
【産業上の利用可能性】
【００６６】
本発明に係る冷凍装置の室外ユニットは、低コストで室外ユニットの運搬性能を向上させることができるという効果を有し、空気調和装置や給湯装置において室外に配置される室外ユニットとして適用することができる。
【符号の説明】
【００６７】
１  室外ユニット
２  ケーシング
２１  左前板側部
２２  前板部
２３  側板部
２４  枠部
２５  横桟
２６  第１横桟
２６ａ  第１横桟の下面
２６ｂ  第１横桟の側面
２６ｄ  凸部
２６ａａ〜２６ａｄ  第１〜第４部分
２７  第２横桟
２７ａ  第２横桟の下面
２７ｂ  第２横桟の側面
２８  縦桟
２９  開口
４１  室外熱交換器
【先行技術文献】
【特許文献】
【００６８】
【特許文献１】特開２００５−９８６１４号公報
【図１】
2010175196.tif 000003
【図２】
2010175196.tif 000004
【図３】
2010175196.tif 000005
【図４】
2010175196.tif 000006
【図５】
2010175196.tif 000007
【図６】
2010175196.tif 000008
【図７】
2010175196.tif 000009
【図８】
2010175196.tif 000010